(57)【要約】【課題】植物にその下方から光をあてる機能を確保しつつ、設置スペースが小さくてすむ植物観賞用照明装置を提供することが課題とする。【解決手段】太陽光エネルギーを電気に変換する太陽光発電パネル２と、この太陽光発電パネル２によって発電された電力を蓄電する二次電池３と、この二次電池３に蓄電された電力によって発光し、前記植物へ光を照射する発光体４と、前記太陽光発電パネル２、前記二次電池３、および、前記発光体４が装着される照明装置本体５（図２参照）とを備え、前記太陽光発電パネル２が、その受光面を上方へ向けて前記照明装置本体５に装着されているとともに、前記発光体４が、その光の照射方向が上方へ向かうように前記照明装置本体５に装着されていることを特徴とする。【選択図】図１
2019114483.tif 000002
【特許請求の範囲】
【請求項１】
植え込まれた植物をライトアップするための植物観賞用照明装置であって、太陽光発電パネルと、この太陽光発電パネルによって発電された電力を蓄電する二次電池と、この二次電池に蓄電された電力によって発光し、前記植物へ光を照射する発光体と、前記太陽光発電パネル、前記二次電池、および、前記発光体が装着される照明装置本体とを備え、前記太陽光発電パネルが、その受光面を上方へ向けて前記照明装置本体に装着されているとともに、前記発光体が、その光の照射方向が上方へ向かうように前記照明装置本体に装着されていることを特徴とする植物観賞用照明装置。
【請求項２】
前記太陽光発電パネルおよび前記発光体が、前記照明装置本体の上部に装着されていることを特徴とする請求項１に記載の植物観賞用照明装置。
【請求項３】
前記照明装置本体に、前記植物が植え込まれた土壌に差し込まれて前記照明装置本体を前記土壌へ固定するための固定脚が下方へ向けて延設されていることを特徴とする請求項１または請求項２に記載の植物観賞用照明装置。
【請求項４】
前記太陽光発電パネルおよび前記発光体と前記二次電池との間に、この二次電池への蓄電と前記発光体への給電とを切り替えるコントローラーが設けられていることを特徴とする請求項１ないし請求項３の何れかに記載の植物観賞用照明装置。
【発明の詳細な説明】
【技術分野】
【０００１】
本発明は、鉢植え若しくは花壇等に植えられた植物に照明をあててこの植物を浮かび上がらせることにより、植物の視覚的な観賞効果を変化させるようにした植物観賞用照明装置に係わり、特に、太陽光発電パネルを用いて発電した電力を用いて照明を行なうようにした植物観賞用照明装置に関する。
【背景技術】
【０００２】
従来、植物に光を照射することにより、視覚的な観賞効果を高めたり変化させることが行なわれている。
そして、光の照射を植物の下部から行なうことがより効果的である。
【０００３】
また、前述した光の照射を行なう装置として、省電力の面から、太陽光発電パネルによって電力を得て、この電力を用いて発光体を発光させる照明装置が知られている。
【０００４】
この照明装置では、太陽光発電パネルと発光体とを独立して設け、前記太陽光発電パネルを上方へ向けて設置するとともに、前記発光体を植物の下部に設置し、これらを給電線によって電気的に接続した構造が殆どである。
【先行技術文献】
【特許文献】
【０００５】
【特許文献１】なし
【発明の概要】
【発明が解決しようとする課題】
【０００６】
ところで、植物に光を照射する場合、特に、前記植物が鉢植えである場合、前述した照明装置を、植物にその下方から光をあてる機能を確保しつつ、設置スペースを小さくするために形状をコンパクト化する必要がある。
【０００７】
本発明は、このような従来の技術において残されている問題点を解消し得る植物観賞用照明装置を提供することを解決すべき課題とする。
【課題を解決するための手段】
【０００８】
本発明の植物観賞用照明装置は、前述した課題を解決するために、植え込まれた植物をライトアップするための植物観賞用照明装置であって、太陽光発電パネルと、この太陽光発電パネルによって発電された電力を蓄電する二次電池と、この二次電池に蓄電された電力によって発光し、前記植物へ光を照射する発光体と、前記太陽光発電パネル、前記二次電池、および、前記発光体が装着される照明装置本体とを備え、前記太陽光発電パネルが、その受光面を上方へ向けて前記照明装置本体に装着されているとともに、前記発光体が、その光の照射方向が上方へ向かうように前記照明装置本体に装着されていることを特徴とする。
【０００９】
本発明の植物観賞用照明装置によれば、前記太陽光発電パネルおよび前記発光体を、前記照明装置本体に一体に装着することにより、装置のコンパクト化を図ることができる。
【００１０】
そして、植物観賞用照明装置を植物の根元近傍に設置した状態で、前記太陽光発電パネルが上方へ向けて配置され、また、前記発光体が、その光の照射方向を前記植物の下方から上方へ向けて設置される。
【００１１】
したがって、前記太陽光発電パネルによる太陽光の有効な受光が確保され、かつ、前記発光体による植物への下方からの光の照射が行なわれる。
【００１２】
前記太陽光発電パネルおよび前記発光体は、前記照明装置本体の上部に装着することが好ましい。
【００１３】
このような構成とすることにより、前記太陽光発電パネルにおける太陽光の受光や、前記発光体による植物への光の照射に際し、前記照明装置本体の干渉を防止することができる。
【００１４】
前記照明装置本体に、前記植物が植え込まれた土壌に差し込まれて前記照明装置本体を前記土壌へ固定するための固定脚が下方へ向けて延設することが好ましい。
【００１５】
このような構成とすることにより、前記固定脚を前記土壌に差し込むだけで照明装置を簡便に設置することができる。
【００１６】
また、前記太陽光発電パネルおよび前記発光体と前記二次電池との間に、この二次電池への蓄電と前記発光体への給電とを切り替えるコントローラーを設けておくことが好ましい。
【００１７】
このような構成とすることにより、二次電池への蓄電工程と発光体への給電工程とを明確に別けて行なわせて、それぞれの工程を効率よく行なわせることができる。
【発明の効果】
【００１８】
本発明によれば、太陽光発電による照明装置を用いて植物への照明を行なうに際し、装置のコンパクト化を図りつつ、植物へその下方から照明を行なうことができる。
【図面の簡単な説明】
【００１９】
【図１】本発明の一実施形態を鉢植えの植物へ適用した例を示す正面図である。
【図２】本発明の一実施形態を示す外観斜視図である。
【図３】本発明の一実施形態のシステム構成図である。
【発明を実施するための形態】
【００２０】
以下、本発明の一実施形態について図面を参照して説明する。
これらの図において、符号１は本実施形態の植物観賞用照明装置（以下、照明装置と略称する）を示す。
【００２１】
この植物観賞用照明装置１は、図３に示すように、太陽光エネルギーを電気に変換する太陽光発電パネル２と、この太陽光発電パネル２によって発電された電力を蓄電する二次電池３と、この二次電池３に蓄電された電力によって発光し、前記植物へ光を照射する発光体４と、前記太陽光発電パネル２、前記二次電池３、および、前記発光体４が装着される照明装置本体５（図２参照）とを備え、前記太陽光発電パネル２が、その受光面を上方へ向けて前記照明装置本体５に装着されているとともに、前記発光体４が、その光の照射方向が上方へ向かうように前記照明装置本体５に装着された構成となっている。
【００２２】
前記照明装置本体５は、上方が開口された箱形の基体５ａと、この基体５ａの上部開口を覆って装着された蓋体５ｂ（図２参照）とによって構成され、前記基体５ａ内に前記二次電池３が収納されている。
【００２３】
また、前記太陽光発電パネル２および前記発光体４と前記二次電池３との間には、この二次電池３への蓄電と前記発光体４への給電とを切り替えるコントローラー６が設けられている。
【００２４】
そして、前記コントローラー６は、前記二次電池３とともに前記照明装置本体５の基体５ａ内に収納されている。
【００２５】
前記蓋体５ｂは前記太陽光発電パネル２には、その受光面を露出させた状態で装着されるパネル装着部Ａと、前記発光体４がその投光部を露出させた状態で装着される発光体装着部Ｂが形成され、前記発光体装着部Ｂが、前記パネル装着部Ａ側へ向くように若干傾斜して形成されている。
【００２６】
さらに、前記照明装置本体５の基体５ａの下部には、下方に行くにしたがい先細りとなる固定脚５ｃが、下方へ向けて延設されている。
【００２７】
このように構成された本実施形態の照明装置１は、たとえば、図１に示すように鉢Ｘに植えられた植物Ｚの照明に用いられ、前記鉢Ｘに詰められた土壌に差し込まれてこの鉢Ｘに固定される。
【００２８】
前記照明装置１の前記鉢Ｘへの固定は、前記基体５ａに設けられている前記固定脚５ｃを前記土壌に差し込むことによって容易に行なうことができる。
【００２９】
このように固定された照明装置１にあっては、太陽光を受光できる間は、この太陽光を受光する前記太陽光発電パネル２において発電が行なわれるとともに、前記コントローラー６により、前記太陽光発電パネル２において発電された電力が前記二次電池３に送られて蓄電される。
【００３０】
そして、周囲が暗くなると、前記太陽光発電パネル２における発電が停止し、あるいは、発電量が設定値より下回った場合、前記コントローラー６により、前記二次電池３への蓄電を停止するとともに、この二次電池３に蓄電されている電力を前記発光体４へ給電する。
【００３１】
そして、前記二次電池３からの電力の供給を受けて、前記発光体４における投光が開始され、前記植物Ｚに対する観賞用の照明が行なわれる。
【００３２】
ここで、前述した照明が、図１に破線で示すように、前記植物Ｚにその下方から上方へ向けて行なわれることにより、観賞のための効果的な照明を実現することができる。
【００３３】
このように、太陽光を用いた照明を行なうにあたって、その発電や投光に用いられる前記太陽光発電パネル２や前記発光体４、および、前記発光体４の発光に用いられる電力を蓄電する前記二次電池３からなる主構成要素を、前記照明装置１の前記照明装置本体５に集約して組み込んであることにより、前記照明装置１をコンパクトな形状とすることができる。
【００３４】
したがって、その設置スペースを極力狭くすることができ、設置スペースが狭い前述した鉢植えの植物Ｚの照明にも容易に対応することができる。
【００３５】
また、前記照明装置本体５の下部に設けられている先細りの前記固定脚５ｃにより、前記照明装置１を、土壌に差し込むといった簡便な操作によって設置することができる。
【００３６】
なお、前記実施形態において示した各構成部材の諸形状や寸法等は一例であって、設計要求等に基づき種々変更可能である。
【００３７】
たとえば、前記太陽光発電パネル２や前記発光体４の向きは一例であり、その向きは、前記蓋体５ｂの形状を変更することにより任意に設定可能である。
【００３８】
また、前記固定脚５ｃを幅方向に複数の分割することも可能であり、これによって、土壌へ差し込む際の抵抗を軽減して設置を容易にすることが期待できる。
【符号の説明】
【００３９】
１  （植物観賞用）照明装置
２  太陽光発電パネル
３  二次電池
４  発光体
５  照明装置本体
５ａ  基体
５ｂ  蓋体
５ｃ  固定脚
６  コントローラー
Ａ  パネル装着部
Ｂ  発光体装着部
Ｘ  鉢
Ｚ  植物
【図１】
2019114483.tif 000003
【図２】
2019114483.tif 000004
【図３】
2019114483.tif 000005